(57)【要約】【課題】  複雑な形状の製品を安価に製造でき、また、製品のモデルチェンジや大きさの異なる多種の製品の製造に容易に対応できるコンクリート製品成形用型枠を開発する。【解決手段】  コンクリート製品の形状を象る本体を架台に着脱自在に構成することで、製品のモデルチェンジなどに容易に対応できる。また、本体は金属製芯材を埋設した樹脂製、金属と樹脂の組み合わせ、繊維補強コンクリート製又はアルミニウム製とすることで、複雑な形状の製品を安価に製造できる。【選択図】      図３
2005279978.tif 000002
【特許請求の範囲】
【請求項１】
コンクリート製品の形状を象る本体と、該本体を載置する架台を有する型枠であって、前記本体と架台とを着脱自在に構成したことを特徴とするコンクリート製品成形用型枠。
【請求項２】
請求項１の型枠において、前記本体がその肉厚内に補強用の金属製芯材を埋設して一体成形した樹脂成形品であり、前記架台が金属製であるコンクリート製品成形用型枠。
【請求項３】
請求項２の型枠において、前記本体が概略Ｕ字状断面の樋状をなし、その開放している両端を閉塞する２枚の側板が前記架台に蝶着して設けられ、該側板が、前記架台に蝶着した金属製の側板台部とその内面に着脱自在に取り付けた成形型部とからなり、該成形型部がその肉厚内に補強用の金属製芯材を埋設して一体成形した樹脂成形品であるコンクリート製品成形用型枠。
【請求項４】
請求項３の型枠において、前記本体と成形型部の芯材に、相互に凹凸嵌合して本体と成形型部を組み立てたときの位置決めをする位置決め手段を固着し、前記成形型部の芯材にはさらに、前記成形型部を前記側板台部に着脱自在に取り付けるためのボルト、ナットなどの固定手段を固着したコンクリート製品成形用型枠。
【請求項５】
請求項２〜４のいずれかの型枠において、前記本体の芯材に、前記本体を前記架台に着脱自在に取り付けるためのボルト、ナットなどの固定手段を固着したコンクリート製品成形用型枠。
【請求項６】
請求項３〜５のいずれかの型枠において、前記成形型部の前記本体の端面と接する部分又は前記本体の端面に、コンクリートの漏れを防止するためのパッキンを装着する溝を、前記成形型部又は本体の成形時に形成しておくことを特徴とするコンクリート製品成形用型枠。
【請求項７】
請求項１の型枠において、前記本体が金属製部分と樹脂製部分を組み合わせて形成したものであるコンクリート製品成形用型枠。
【請求項８】
請求項１の型枠において、前記本体が繊維補強コンクリート製であるコンクリート製品成形用型枠。
【請求項９】
請求項１の型枠において、前記本体がアルミニウム又はアルミニウム合金製であるコンクリート製品成形用型枠。
【請求項１０】
請求項９の型枠において、前記本体の少なくともコンクリートと接する面に、コンクリートのアルカリ成分との反応を抑制するためのアルカリ耐食処理を施したコンクリート製品成形用型枠。
【請求項１１】
請求項２〜７の何れかの型枠において、前記樹脂が離型剤を混合したものであるコンクリート製品成形用型枠。
【請求項１２】
請求項１〜１１の何れかの型枠において、前記本体内に、内面がコンクリート製品を成形する成形面となっており、外面が前記本体内面に嵌着可能な形状をなす内枠を着脱自在に嵌め込んだコンクリート製品成形用型枠。
【発明の詳細な説明】
【技術分野】
【０００１】
本発明は、種々のセメントコンクリート製品、レジンコンクリート（樹脂コンクリート）製品等のコンクリート製品を成形する型枠に関する。
【背景技術】
【０００２】
従来の一般的なコンクリート製品の成形用型枠は、鋼材を切断、折り曲げ、削り加工したパーツを溶接などで一体に組み立てた鋼製型枠である。このような型枠には、運搬、据え付け、又搬送ラインに乗せるなどの便宜のため、通常架台が設けられ、型枠本体は架台に溶接して完全に一体化されている（例えば特許文献１）。
【０００３】
また、鋼製の外型の底部に樹脂製の成形型部を設け、その成形型部の内部に補強プレートを設ける型枠が特許文献２に開示されている。
【特許文献１】実公平６−３０４０６号公報
【特許文献２】特許第３０２１４１０号公報
【発明の開示】
【発明が解決しようとする課題】
【０００４】
上記の従来の鋼製型枠は、摩耗に強くて耐久性があり、またコンクリートの蒸気養生の際の熱変形も少ない点で優れている。しかし、鋼材を加工するため、成形できる形状に制限があり、複雑な形状を成形するためには鉄の塊を削り加工した部品を使用しなければならず、きわめて高コストとなっていた。
【０００５】
上記の、鋼製の外型の底部に樹脂製の成形型部を設ける型枠は、鋼製の外型が必要なためにコスト高であり、底部の樹脂部分は複雑な形状の成形が可能であるが、側面部分は鋼製であるために複雑な形状を成形することができなかった。
【０００６】
また、型枠は一般に架台と、その上に固定されたキャビティーを有する本体とからなるが、架台と本体とは完全に一体化されていたので、製品のモデルチェンジに対応するためには、架台付の本体を新たに作り直さなければならない。また、大きさの異なる多種の製品を製造する場合には、それぞれの種類の型枠を揃えなければならないので、高コストとなるばかりでなく、多くの材料資源を必要として環境負荷も大きかった。
【０００７】
本発明は、従来の型枠よりも複雑な形状の製品を安価に製造でき、また、製品のモデルチェンジや大きさの異なる多種の製品の製造に容易に対応できるコンクリート製品成形用型枠を開発することを課題としてなされたものである。
【課題を解決するための手段】
【０００８】
（構成１）本発明は、コンクリート製品の形状を象る本体と、該本体を載置する架台を有する型枠であって、前記本体と架台とを着脱自在に構成したことを特徴とするコンクリート製品成形用型枠である。
【０００９】
（構成２）また本発明は、前記構成１の型枠において、前記本体がその肉厚内に補強用の金属製芯材を埋設して一体成形した樹脂成形品であり、前記架台が金属製であるコンクリート製品成形用型枠である。
【００１０】
（構成３）また本発明は、前記構成２の型枠において、前記本体が概略Ｕ字状断面の樋状をなし、その開放している両端を閉塞する２枚の側板が前記架台に蝶着して設けられ、該側板が、前記架台に蝶着した金属製の側板台部とその内面に着脱自在に取り付けた成形型部とからなり、該成形型部がその肉厚内に補強用の金属製芯材を埋設して一体成形した樹脂成形品であるコンクリート製品成形用型枠である。
【００１１】
（構成４）また本発明は、前記構成３の型枠において、前記本体と成形型部の芯材に、相互に凹凸嵌合して本体と成形型部を組み立てたときの位置決めをする位置決め手段を固着し、前記成形型部の芯材にはさらに、前記成形型部を前記側板台部に着脱自在に取り付けるためのボルト、ナットなどの固定手段を固着したコンクリート製品成形用型枠である。
【００１２】
（構成５）また本発明は、前記構成２〜４のいずれかの型枠において、前記本体の芯材に、前記本体を前記架台に着脱自在に取り付けるためのボルト、ナットなどの固定手段を固着したコンクリート製品成形用型枠である。
【００１３】
（構成６）また本発明は、前記構成３〜５のいずれかの型枠において、前記成形型部の前記本体の端面と接する部分又は前記本体の端面に、コンクリートの漏れを防止するためのパッキンを装着する溝を、前記成形型部又は本体の成形時に形成しておくことを特徴とするコンクリート製品成形用型枠である。
【００１４】
（構成７）また本発明は、前記構成１の型枠において、前記本体が金属製部分と樹脂製部分を組み合わせて形成したものであるコンクリート製品成形用型枠である。
【００１５】
（構成８）また本発明は、前記構成１の型枠において、前記本体が繊維補強コンクリート製であるコンクリート製品成形用型枠である。
【００１６】
（構成９）また本発明は、前記構成１の型枠において、前記本体がアルミニウム又はアルミニウム合金製であるコンクリート製品成形用型枠である。
【００１７】
（構成１０）また本発明は、前記構成９の型枠において、前記本体の少なくともコンクリートと接する面に、コンクリートのアルカリ成分との反応を抑制するためのアルカリ耐食処理を施したコンクリート製品成形用型枠である。
【００１８】
（構成１１）また本発明は、前記構成２〜７の何れかの型枠において、前記樹脂が離型剤を混合したものであるコンクリート製品成形用型枠である。
【００１９】
（構成１２）また本発明は、前記構成１〜１１の何れかの型枠において、前記本体内に、内面がコンクリート製品を成形する成形面となっており、外面が前記本体内面に嵌着可能な形状をなす内枠を着脱自在に嵌め込んだコンクリート製品成形用型枠である。
【発明の効果】
【００２０】
本発明のコンクリート製品成形用型枠は、本体と架台とが着脱自在となっているため、製品のモデルチェンジがあったときに、本体のみを製作し、架台に付け替えればよいので、低コストで対応でき、資源を節約できる。
【００２１】
本体の全体を樹脂製とすることで、従来よりも複雑な形状を低コストで容易に製造できる。樹脂製本体の肉厚内に補強用の金属製芯材を埋設すると、強度や剛性の補強となるばかりでなく、コンクリートを蒸気養生したときに、樹脂が熱膨張するのを防止し、製品の品質や寸法精度に悪影響を及ぼさない。芯材に、本体を架台に着脱自在に取り付けるためのボルト、ナットなどの固定手段を固着すると、本体を架台に取り付けた場合、架台と金属製の芯材とが直接連結されるため、強度的に優れたものとなり、さらに締固めのバイブレータの振動を有効に伝える効果がある。芯材としてはパンチングメタル、エキスパンドメタルなど、多数の穴を有する面材が好適である。
【００２２】
樹脂製本体は、どんなに微細で複雑な形状でも原型の反転形状をそっくり転写できるから、原型から繰り返し反転成形することにより、複雑で微細な形状、模様を有するものを安価に量産できる。
【００２３】
本体を金属製部分と樹脂製部分を組み合わせて形成したものとすると、金属製部分によって強度保持されると共に熱による変形が防止され、樹脂部分で複雑な形状を成形することができる。
【００２４】
本体を繊維補強コンクリート製とすると、樹脂製の場合と同様に、（原型を転写することで）複雑な形状を低コストで容易に製造できる。繊維補強コンクリートであるので強度も十分であり、熱養生時の熱変形も小さい。繊維補強コンクリートは、鋼繊維、ガラス繊維などの繊維を配合し、引張強度を補強したコンクリートである。
【００２５】
本体をアルミニウム又はアルミニウム合金製とすると、押出成形又は鋳造により複雑な形状のものを容易に製造できる。
【００２６】
本体内に、内面がコンクリート製品を成形する成形面となっており、外面が前記本体内面形状に対応する形状となっている内枠を着脱自在に填め込むことで、大きさの異なる２種類のコンクリート製品を製造可能となる。
【発明を実施するための最良の形態】
【００２７】
本発明において、樹脂材料は特に限定されず、例えばウレタン樹脂、エポキシ樹脂などを用いることができる。架台はＬ形鋼、Ｉ形鋼、Ｃ形鋼、Ｈ形鋼、フラットバー、鉄板などの適宜の鋼材を加工して台状に組み立てることができ、その形状、構造は自由である。
【００２８】
本発明の型枠は具体的には、例えば、本体を、幅方向の断面が概略Ｕ字状の樋状に形成し、その開放している両端を閉塞する２枚の側板を前記架台に蝶着して設けることができる。この場合、側板を、架台に蝶着した金属製の側板台部とその内面に着脱自在に取り付けた樹脂製の成形型部とから構成すると、架台に確実に固定でき、複雑な側面形状の製品を容易に成形でき、モデルチェンジの際の成形型部の取り替えも容易である。成形型部の肉厚内に補強用の金属製芯材を埋設し、本体と成形型部の芯材に、相互に凹凸嵌合して本体と成形型部を組み立てたときの位置決めをする位置決め手段を固着すると、本体と側板を接合して型枠を組み立てたときに、本体と側板とが一体化し、完全に位置決めされる。側板の成形型部の本体の端面と接する部分に、コンクリートの漏れを防止するためのパッキンを装着する溝を、成形型部の成形時に形成しておくことができる。このようにすることで、成形型部の成形後に溝を彫る加工をする必要がなくなる。
【００２９】
本体をアルミニウム又はアルミニウム合金製とした場合、コンクリートのアルカリ成分による腐食を防止するため、本体の少なくともコンクリートと接する面にアルカリ耐食処理を施すことが望ましい。アルカリ耐食処理は、簡易な化成処理法、アルマイト処理法、メッキ法、塗装被覆法、セラミックコーティング法、溶射法、乾式コーティング法などの単独、又はこれらの組み合わせが考えられる。これらの方法の中で、特に簡便で効果が大きいのは、化成処理法の一種で、アルミニウム（合金）表面にベーマイト被膜を形成する方法である。
【００３０】
ベーマイトは  ＡｌＯＯＨ、γ−ＡｌＯＯＨ  又は  α−Ａｌ２Ｏ３・Ｈ２Ｏ  であり、８０℃程度あるいはそれ以上の温度の純水中にアルミニウム又はアルミニウム合金の成形品を浸漬することで、次の（１）式又は（２）式により被膜が生成される。
（化１）
（１）        ２Ａｌ＋４Ｈ２Ｏ  →  ２ＡｌＯＯＨ＋３Ｈ２
（２）        ２Ａｌ＋３Ｈ２Ｏ  →  ３Ａｌ２Ｏ３・３Ｈ２
【００３１】
ベーマイト被膜の厚さは、８０℃以上の熱水で反応させる場合、０．２〜０．５μｍ程度で、反応時間も１５分以上要するが、反応促進剤であるアンモニア水、トリエタノールアミン（ＴＥＡ）等のアルカリ性添加剤を０．５〜５％の範囲で添加し、消耗量の適時管理を行うことにより反応時間を１／２から１／１０に短縮可能であり、かつ、生成されるベーマイト被膜の厚さも２倍〜３倍（厚さ２μｍ程度まで）に厚くできる。これは微量のアルカリ性添加剤がベーマイト生成時、Ａｌ表面を活性化しやすいため、ベーマイト生成→局部的に一部活性化→局部的にベーマイト生成・・・の繰り返し反応が起きているものと考えられる。なお、反応促進剤としては、上記のアルカリ性添加剤に限らず、有機、無機を含め各種の界面活性剤を適宜単独又は併用して用いることができる。
【００３２】
ベーマイト被膜は、優れた電気絶縁性を示し、アルミニウムがアルカリ腐食するのを防止する。万一、コンクリート打設の衝撃により、一部の被膜が剥落しても、その剥落して素地が露出した部分にセメントコンクリート中のアルカリ成分による新たな化学被膜（アルミン酸アルカリ塩、水酸化アルミのゾル・ゲル状物質）が繰り返し生成され、結局長期間のアルカリ耐食性を発揮するものである。
【００３３】
上記のようにベーマイト被膜を形成した後、１気圧以上の蒸気処理を行うと、被膜が一層緻密なベーマイト層となり、アルカリ耐食性が向上する。
【００３４】
また、ベーマイト被膜に、珪酸カルシウム又は酸化ジルコニウムの微粉末をバインダー（例えば水溶性等の有機バインダー）と混合して塗布し、被膜表面に珪酸カルシウム又は酸化ジルコニウムを存在させておくと、万一機械的衝撃でベーマイト被膜が破損してＡｌ表面が露出しても、耐アルカリ性の強力な上記２者は露出部近傍においてもアルカリ腐食反応（アルミン酸アルカリ塩、水酸化アルミの生成）を抑制する効果があり、アルカリ耐食性が向上する。なお、この処理は前記の蒸気処理と併用することができ、アルカリ耐食性を一層向上させることができる。
【００３５】
本体や成形型部の樹脂材料に予め離型剤を混合しておくことができる。このようにすることでコンクリート製品製造時に離型剤を殆ど使用せずに、コンクリート製品の脱型（型抜き）が可能となる。このことは、鋼製型枠で成形した製品に比べ表面が鏡面状にきれいに仕上がると共に、離型剤の使用料を大幅に低減し、製造作業場の環境向上にも寄与する。離型剤としては、例えば「Ｒ−Ｘ」の一般式で表されるものを使用できる。ここにおいて、ＲはＣ１５〜２０のアルキル基を表し、Ｘは水素基、カルボキシル基又はグリシルエーテル基を表す。炭素原子数Ｃ１７のアルキル基としては、Ｃ１７ステアリルアルコール、ステアリル酸、ステアリルグリシルエーテルが、Ｃ１８のアルキル基としてはノナデカノール、オレイン酸、ノナデカノールグリシルエーテルが揚げられる。
【実施例】
【００３６】
図２〜９は実施例の型枠１０に関する。型枠１０は図１の車止ブロック１を成形するためのものである。車止ブロック１は概略台形柱状をなし、上部に２個所の凹部２を備え、各凹部２には筒状のホルダー３（プラスチック製）を埋設することで貫通孔が形成されている。貫通孔からはアンカーボルトを打ち込んで車止ブロック１を固定する。その後、凹部２にはリフレクターを兼ねたキャップ（図示せず）を装着する。前面中央はネームステッカーを貼る表示部４（曲面）が形成され、その左右両側には滑り止めと意匠効果を兼ねた多数の横溝５が形成されている。左右の側面には手掛部６が凹設されている。
【００３７】
図２に示すように、型枠１０は架台１１、本体１２及び側板１３を有する。架台１１は２本のコ字形鋼１７を平行に配置し、その上に２本の梁材１８（鉄板をコ字形に曲げ加工したもの）を架け渡し、溶接固定したものである。架台１１の上には２個の本体１２が着脱自在に取り付けられる。また、架台１１の左右両側面には側板１３が蝶番１６によって蝶着されている。側板１３は、鉄板を加工した側板台部１４に樹脂製の２個の成形型部１５が着脱自在に取り付けられている。側板１３を起立させると、成形型部１５が本体１２の開放状態となっている両端を閉塞し、キャビティーが形成される。キャビティーにコンクリートを充填し、コンクリートの上面をコテで均し、蒸気養生を行い、側板を倒して脱型（ブロックの取り出し）を行う。
【００３８】
図４に示すように、本体１２は断面が概略Ｕ字状の樋状をなし、樹脂製（ウレタン樹脂など）で、そのほぼ全域に金属製の芯材１９が埋め込まれている。樹脂には離型剤が練り込まれている。図５、６に示すように、芯材１９はパンチングメタルを樋状に加工したもので、両端外側に全長に亘るパイプ２２を溶接により固着し、下面に２個のナット２０と４個のナット２１を、上面には前記ナット２０の上部にボス２０ａを溶接により固着している。
【００３９】
パイプ２２の両端は、本体１２の側面に開口し、側板１３を起立させて成形型部１５で本体１２の側面を閉塞する場合、成形型部のガイドピン２５（図７）がパイプ２２に嵌合し、位置決めされる。すなわち、パイプ２２及びガイドピン２５は相互に嵌合して本体と成形型部の位置決めを行う位置決め手段である。ナット２０、２１は本体１２を架台に取り付けるための固定手段で、本体１２の下面に露出する。すなわち、図９に示すように、本体１２を架台１１の梁材１８上に載置し、下側からワッシャ−を介してボルト２８、２９で締め付けて固定する。ボルトを外せば簡単に本体を取り外すことができる。ボス２０ａは筒状の部材で、本体１２の内底面に開口する。ボス２０ａには、図４に鎖線で示すように、筒状のホルダー３をその頭部を嵌着して立設する。筒状のホルダー３がコンクリート中に埋め込まれることで車止ブロックに貫通孔が形成される。
【００４０】
成形型部１５は、概略台形状の板で、樹脂製（ウレタン樹脂など）で、そのほぼ全域に金属製の芯材２４が埋め込まれている。樹脂には離型剤が練り込まれている。図７に示すように、成形型部１５の内面側の外周部には、コンクリートの漏れを防止するためのパッキン（図示せず）を装着する溝２７が、成形型部の成形時に形成されている。溝２７にはひも状のパッキンを装着し、成形型部１５で本体１２の端面を閉塞しキャビティーを形成すると、パッキンが本体１２の側面に密着し、コンクリート漏れを防ぐことができる。なお、このパッキン用の溝は本体端面に設けても同様の効果が得られる。
【００４１】
図８に示すように、芯材２４はパンチングメタルを加工したもので、内面側に２個のガイドピン２５（位置決め手段）、外面側に４個のナット２６（固定手段）が溶接により固着されている。成形型部１５は、図２に示すように、側板台部１４にセットし、側板の裏側からボルト（図示せず）をナット２６に螺着することで、着脱自在に取り付けられる。
【００４２】
図１０、１１は、本体１２Ａを金属と樹脂を組み合わせて形成した例を示している。本体１２Ａの基本形状及び使用方法は前記実施例の本体１２と同様である。本体１２Ａの大部分は鋼板を加工して製作した金属製部分３０であるが、図１０において斜線を施した部分、すなわち複雑な形状の部分のみが樹脂製部分３１となっている。この本体は、例えば次のようにして製造することができる。金属製部分３０は、樹脂製とする部分を切り欠いて製作してある。その切欠部分の裏側に芯材３６（パンチングメタル等）を溶接などで固着する。芯材にはナット２０、２１及びボス２０ａを溶接で固定しておく。その後、図１２に示すように、芯材３６の表側及び裏側に樹脂型３７、３８を取り付け、注入孔３９から樹脂を注入して樹脂製部分３１を成形する。
【００４３】
また場合によっては、本体を鋼板で作成し、複雑な形状の部分だけ、部分的に鋼板の上に樹脂を被覆することも可能である。
【００４４】
図１３、１４は本体を鋼繊維補強コンクリート製とした例を示している。本体１２Ｂの基本形状及び使用方法は前記実施例の本体１２と同様である。また、ナット２０、ボス２０ａ、ナット２１及びパイプ２２が埋設されることも同様である。
【００４５】
図１５、１６は本体をアルミ合金製とした例を示している。本体１２Ｃの基本形状及び使用方法は前記実施例の本体１２と同様である。この場合、ナット２０、ボス２０ａ、ナット２１及びパイプ２２は埋設されないが、これらに代えて雌ねじ３２、穴３４、雌ねじ３３及びガイド穴３５を形成してある。本体１２Ｃの内面（コンクリートと接する面）には、ベーマイト被膜処理を施してある。
【００４６】
図１７は実施例の型枠４０の断面説明図である。型枠４０も車止ブロックを成形するためのもので、架台４１に２個の本体４２が着脱自在に取り付けられている。本体４２内にコンクリートを充填して車止ブロックを成形することができる。また、本体４２内には内枠４３を嵌着することができる。内枠４３は外面が本体４２の内面に嵌着できる形状で、内面がコンクリート製品を成形する成形面となっている。内枠４３を嵌着した状態で、内枠４３内にコンクリートを充填し、一回り小さい車止ブロックを成形できる。すなわち、この型枠は２種類のブロックを成形できる。
【産業上の利用可能性】
【００４７】
本発明の型枠は、車止めブロックのほか、歩車道境界ブロック、地先境界ブロック、花壇用縁石、境界杭、側溝用蓋、桝用蓋、舗装ブロック、基礎ブロック、積みブロック、護岸ブロック、各種擬木製品、各種擬石製品など、種々のコンクリート製品の成形に使用することができる。
【図面の簡単な説明】
【００４８】
【図１】車止ブロック１の斜視図である。
【図２】型枠１０の分解説明図である。
【図３】型枠１０の側板を取り除いた斜視図である。
【図４】本体１２の平面図及びＡＡ線断面図である。
【図５】芯材１９の平面図及び側面図である。
【図６】芯材１９の斜視図である。
【図７】成型型部の正面図及び底面図である。
【図８】芯材２４の平面図及び正面図である。
【図９】架台１１に本体１２を取り付ける説明図である。
【図１０】本体１２Ａの平面図である。
【図１１】図１０におけるＢＢ線断面図である。
【図１２】本体１２Ａの製造方法の説明図である。
【図１３】本体１２Ｂの平面図である。
【図１４】図１２におけるＣＣ線断面図である。
【図１５】本体１２Ｃの平面図である。
【図１６】図１４におけるＤＤ線断面図である。
【図１７】型枠４０の説明図である。
【符号の説明】
【００４９】
１  車止ブロック
２  凹部
３  ホルダー
４  表示部（ネームステッカー）
５  横溝
６  手掛部
１０  型枠
１１  架台
１２  本体
１３  側板
１４  側板台部
１５  成形型部
１６  蝶番
１７  コ字形鋼
１８  梁材
１９  芯材
２０  ナット
２０ａ  ボス
２１  ナット
２２  パイプ
２４  芯材
２５  ガイドピン
２６  ナット
２７  溝
２８  ボルト
２９  ボルト
３０  金属製部分
３１  樹脂製部分
３２  雌ねじ
３３  雌ねじ
３４  穴
３５  ガイド穴
３６  芯材
３７  樹脂型
３８  樹脂型
３９  注入孔
４０  型枠
４１  架台
４２  本体
４３  内枠
【図１】
2005279978.tif 000003
【図２】
2005279978.tif 000004
【図３】
2005279978.tif 000005
【図４】
2005279978.tif 000006
【図５】
2005279978.tif 000007
【図６】
2005279978.tif 000008
【図７】
2005279978.tif 000009
【図８】
2005279978.tif 000010
【図９】
2005279978.tif 000011
【図１０】
2005279978.tif 000012
【図１１】
2005279978.tif 000013
【図１２】
2005279978.tif 000014
【図１３】
2005279978.tif 000015
【図１４】
2005279978.tif 000016
【図１５】
2005279978.tif 000017
【図１６】
2005279978.tif 000018
【図１７】
2005279978.tif 000019